(57)【要約】【課題】使用者に作動状態を告知しつつ、消灯モードを設定した使用者の不快感を緩和することが可能な給湯機用遠隔制御装置を提供すること。【解決手段】表示消灯スイッチ２３が押され表示部１０が消灯モードに設定されているときに、給湯機のヒートポンプ装置が作動した場合には、表示部１０のうちヒートポンプ装置作動表示部分１１を表示し、他の表示部分は消灯した状態とする。これにより、ヒートポンプ装置作動表示部分１１で使用者に給湯機のヒートポンプ装置が作動していることを告知しつつ、他の表示部分を消灯することで使用者の不快感を緩和することができる。【選択図】        図５
2004198089.tif 000002
【特許請求の範囲】
【請求項１】
給湯機（２）と離間して設置されるとともに、有線または無線によって前記給湯機（２）と接続され、
前記給湯機（２）から入力する前記給湯機（２）の作動状態に関する情報を表示する表示部（１０）と、
前記表示部（１０）を消灯モードに設定する消灯モード設定手段（２３）とを備える給湯機用遠隔制御装置において、
前記消灯モード設定手段（２３）により前記表示部（１０）が前記消灯モードに設定されているときに、前記給湯機（２）が作動状態となった場合には、
前記表示部（１０）のうち前記作動状態に関連する第１表示部分（１１）を表示し、前記表示部（１０）のうち前記第１表示部分（１１）以外の第２表示部分（１２、１３、１４、１５、１６）を消灯する表示制御手段（３０、３１、３２、３３）を備えることを特徴とする給湯機用遠隔制御装置。
【請求項２】
給湯機（２）と離間して設置されるとともに、有線または無線によって前記給湯機（２）と接続され、
前記給湯機（２）から入力する前記給湯機（２）の作動状態に関する情報を表示する表示部（１０）と、
前記表示部（１０）を消灯モードに設定する消灯モード設定手段（２３）とを備える給湯機用遠隔制御装置において、
前記消灯モード設定手段（２３）により前記表示部（１０）が前記消灯モードに設定されているときに、前記給湯機（２）が作動状態となった場合には、
前記表示部（１０）のうち前記作動状態に関連する第１表示部分（１１）を表示し、前記表示部（１０）のうち前記第１表示部分（１１）以外の第２表示部分（１２、１３、１４、１５、１６）を前記第１表示部分（１１）より低輝度で表示する表示制御手段（３０、３１、３２、３３）を備えることを特徴とする給湯機用遠隔制御装置。
【請求項３】
前記給湯機（２）への制御指令を操作入力するための制御指令入力手段（２１）を備え、
前記表示制御手段（３０、３１、３２、３３）は、前記消灯モード設定手段（２３）により前記消灯モードが設定されているときに、前記制御指令入力手段（２１）が操作された場合には、前記消灯モードを解除することを特徴とする請求項１または請求項２に記載の給湯機用遠隔制御装置。
【請求項４】
前記表示制御手段（３０、３１、３２、３３）は、前記消灯モード設定手段（２３）により前記消灯モードが設定されているときに、前記表示部（１０）が全て前記第２表示部分である場合には、前記表示部（１０）への電力供給を停止することを特徴とする請求項１ないし請求項３のいずれか１つに記載の給湯機用遠隔制御装置。
【請求項５】
前記消灯モード設定手段（２３）により前記表示部（１０）が前記消灯モードに設定されているときには、前記消灯モードである旨の表示（２４）を点灯することを特徴とする請求項１ないし請求項４のいずれか１つに記載の給湯機用遠隔制御装置。
【請求項６】
前記給湯機（２）は水を加熱して給湯用の湯とする加熱手段を有し、
前記加熱手段が作動しているときには、前記表示制御手段（３０、３１、３２、３３）は、前記表示部（１０）のうち、前記加熱手段が作動中である旨の表示部分（１１）を前記第１表示部分（１１）とすることを特徴とする請求項１ないし請求項５のいずれか１つに記載の給湯機用遠隔制御装置。
【請求項７】
前記給湯機（２）が給湯を行なっているときには、前記表示制御手段（３０、３１、３２、３３）は、前記表示部（１０）のうち、給湯温度の表示部分（１３）を前記第１表示部分（１３）とすることを特徴とする請求項１ないし請求項６のいずれか１つに記載の給湯機用遠隔制御装置。
【請求項８】
前記給湯機（２）は浴槽内の浴水を加熱する浴水加熱手段を有し、
前記浴水加熱手段が作動しているときには、前記表示制御手段（３０、３１、３２、３３）は、前記表示部（１０）のうち、前記浴水加熱手段が作動中である旨の表示部分（１６）を前記第１表示部分（１６）とすることを特徴とする請求項１ないし請求項７のいずれか１つに記載の給湯機用遠隔制御装置。
【請求項９】
前記給湯機（２）は浴槽内へ湯張りする湯張り手段を有し、前記湯張り手段が作動しているときには、前記浴槽内へ湯張り中である旨の表示（２２）を点灯することを特徴とする請求項１ないし請求項８のいずれか１つに記載の給湯機用遠隔制御装置。
【発明の詳細な説明】
【０００１】
【発明の属する技術分野】
本発明は、浴室や台所等に設置される給湯機用遠隔制御装置に関する。
【０００２】
【従来の技術】
従来技術として、下記特許文献１に開示された給湯機用の遠隔制御装置（所謂リモコン装置）がある。この遠隔制御装置は、給湯機から入力する給湯機の作動状態（運転モードや給湯温度等）に関する情報を表示する表示部と、省電力を目的として表示部を消灯モードに設定する消灯モード設定手段としての省電力モードスイッチとを備えている。
【０００３】
そして、省電力モードスイッチにより表示部が消灯モードに設定されているときに、給湯機が作動状態となった場合には、消灯モードを解除して表示部を全て点灯状態とし、使用者に作動状態を告知するようになっている。
【０００４】
【特許文献１】
特開２００２−１１５９０１号公報
【０００５】
【発明が解決しようとする課題】
しかしながら、上記従来技術の給湯機用遠隔制御装置では、表示部消灯モード時に給湯機が作動状態となると、表示部は全て点灯状態となる。このような場合には、省電力しようと省電力モードスイッチを操作した使用者は不快感が高まり易いという問題がある。
【０００６】
本発明は、上記点を鑑みてなされたものであって、使用者に作動状態を告知しつつ、使用者の不快感を緩和することが可能な給湯機用遠隔制御装置を提供することを目的とする。
【０００７】
【課題を解決するための手段】
上記目的を達成するため、請求項１に記載の発明では、
給湯機（２）と離間して設置されるとともに、有線または無線によって給湯機（２）と接続され、
給湯機（２）から入力する給湯機（２）の作動状態に関する情報を表示する表示部（１０）と、
表示部（１０）を消灯モードに設定する消灯モード設定手段（２３）とを備える給湯機用遠隔制御装置において、
消灯モード設定手段（２３）により表示部（１０）が消灯モードに設定されているときに、給湯機（２）が作動状態となった場合には、
表示部（１０）のうち前記作動状態に関連する第１表示部分（１１）を表示し、表示部（１０）のうち第１表示部分（１１）以外の第２表示部分（１２、１３、１４、１５、１６）を消灯する表示制御手段（３０、３１、３２、３３）を備えることを特徴としている。
【０００８】
これによると、表示部（１０）が消灯モードのときに給湯機（２）が作動状態となると、表示部（１０）のうち第１表示部分（１１）により使用者に給湯機（２）の作動状態を告知し、第１表示部分（１１）以外の第２表示部分（１２、１３、１４、１５、１６）を消灯することができる。したがって、使用者の不快感を緩和することが可能である。
【０００９】
また、請求項２に記載の発明では、
給湯機（２）と離間して設置されるとともに、有線または無線によって給湯機（２）と接続され、
給湯機（２）から入力する給湯機（２）の作動状態に関する情報を表示する表示部（１０）と、
表示部（１０）を消灯モードに設定する消灯モード設定手段（２３）とを備える給湯機用遠隔制御装置において、
消灯モード設定手段（２３）により表示部（１０）が消灯モードに設定されているときに、給湯機（２）が作動状態となった場合には、
表示部（１０）のうち前記作動状態に関連する第１表示部分（１１）を表示し、表示部（１０）のうち第１表示部分（１１）以外の第２表示部分（１２、１３、１４、１５、１６）を第１表示部分（１１）より低輝度で表示する表示制御手段（３０、３１、３２、３３）を備えることを特徴としている。
【００１０】
これによると、表示部（１０）が消灯モードのときに給湯機（２）が作動状態となると、表示部（１０）のうち第１表示部分（１１）により使用者に給湯機（２）の作動状態を告知し、第１表示部分（１１）以外の第２表示部分（１２、１３、１４、１５、１６）を第１表示部分（１１）より低輝度とすることができる。したがって、使用者の不快感を緩和することが可能である。
【００１１】
また、請求項３に記載の発明では、給湯機（２）への制御指令を操作入力するための制御指令入力手段（２１）を備え、表示制御手段（３０、３１、３２、３３）は、消灯モード設定手段（２３）により消灯モードが設定されているときに、制御指令入力手段（２１）が操作された場合には、消灯モードを解除することを特徴としている。
【００１２】
これによると、使用者が制御指令入力手段（２１）を操作したときには、消灯モードを解除して、表示部（１０）を通常の表示とすることができる。
【００１３】
また、請求項４に記載の発明では、表示制御手段（３０、３１、３２、３３）は、消灯モード設定手段（２３）により消灯モードが設定されているときに、表示部（１０）が全て第２表示部分である場合には、表示部（１０）への電力供給を停止することを特徴としている。
【００１４】
これによると、給湯機（２）の作動状態に関連する表示がない場合には、表示部（１０）に電力供給することがない。したがって、確実に省電力することができる。
【００１５】
また、請求項５に記載の発明では、消灯モード設定手段（２３）により表示部（１０）が消灯モードに設定されているときには、消灯モードである旨の表示（２４）を点灯することを特徴としている。
【００１６】
これによると、この表示（２４）の点灯により、消灯モードに設定されていることを容易に確認することができる。
【００１７】
また、請求項６に記載の発明では、給湯機（２）は水を加熱して給湯用の湯とする加熱手段を有し、加熱手段が作動しているときには、表示制御手段（３０、３１、３２、３３）は、表示部（１０）のうち、加熱手段が作動中である旨の表示部分（１１）を第１表示部分（１１）とすることを特徴としている。
【００１８】
これによると、給湯機（２）の加熱手段が作動していることを容易に告知することができる。
【００１９】
また、請求項７に記載の発明では、給湯機（２）が給湯を行なっているときには、表示制御手段（３０、３１、３２、３３）は、表示部（１０）のうち、給湯温度の表示部分（１３）を第１表示部分（１３）とすることを特徴としている。
【００２０】
これによると、給湯機（２）が給湯を行なっていること、およびその給湯温度を容易に告知することができる。
【００２１】
また、請求項８に記載の発明では、給湯機（２）は浴槽内の浴水を加熱する浴水加熱手段を有し、浴水加熱手段が作動しているときには、表示制御手段（３０、３１、３２、３３）は、表示部（１０）のうち、浴水加熱手段が作動中である旨の表示部分（１６）を第１表示部分（１６）とすることを特徴としている。
【００２２】
これによると、給湯機（２）の浴水加熱手段が作動していることを容易に告知することができる。
【００２３】
また、請求項９に記載の発明では、給湯機（２）は浴槽内へ湯張りする湯張り手段を有し、湯張り手段が作動しているときには、浴槽内へ湯張り中である旨の表示（２２）を点灯することを特徴としている。
【００２４】
これによると、この表示（２２）の点灯により、浴槽内へ湯張り中であることを容易に確認することができる。
【００２５】
なお、上記各手段に付した括弧内の符号は、後述する実施形態記載の具体的手段との対応関係の一例を示す。
【００２６】
【発明の実施の形態】
以下、本発明の実施の形態を図に基づいて説明する。
【００２７】
図１は本実施形態の給湯機用遠隔制御装置（所謂リモコン装置）の概略構成を示すブロック図である。
【００２８】
１（一点鎖線で囲んだ範囲）は本実施形態の遠隔制御装置であり、２は給湯機である。遠隔制御装置１は屋内の適所（例えば、浴室内や台所等）に配置され、給湯機２は屋外の適所に配置されている。ここで、給湯機２の構成の図示は省略している。
【００２９】
給湯機２は、二酸化炭素を冷媒とする加熱手段としてのヒートポンプ装置と、このヒートポンプ装置により加熱された湯を蓄える貯湯タンクとを備えている。そして、貯湯タンク内の湯は、給湯配管を介して下流側にあるカラン、シャワー等に給湯されるとともに、図示しない浴槽内への湯張り手段により湯張りされるようになっている。また、給湯機２は、図示しない浴槽内の浴水を、貯湯タンク内の湯と熱交換して加熱する浴水加熱手段を備え、この浴水加熱手段により浴水を保温できるようになっている。
【００３０】
また、給湯機２の制御部は、演算処理装置、記憶素子および電源回路等により構成されている。そして、記憶された制御フローや後述する遠隔制御装置１からの信号に基づいて、ヒートポンプ装置、湯張り手段、浴水加熱手段等を作動制御するとともに、後述する遠隔制御装置１に対し給電を行なったり、給湯機２の作動状態に関する信号を出力するようになっている。
【００３１】
給湯機２と遠隔制御装置１との信号伝達には、信号伝達媒体として有線、電波、光、超音波等を用いることが可能であり、本実施形態では有線を採用している。そして、この有線を通して、給湯機２は、遠隔制御装置１への給電および遠隔制御装置１との信号伝達を行なう（給電用電流出力とデジタル信号入出力が重畳されて伝達される）ようになっている。
【００３２】
遠隔制御装置１は、ＣＰＵで構成された制御演算部３０を備えている。この制御演算部３０は、通信回路５０、スイッチ入力回路４０を介してスイッチ２０、表示制御回路３１を介して表示部１０が連携されている。
【００３３】
スイッチ２０は、１つまたは複数の制御スイッチおよび表示消灯スイッチで構成されるものであり、本実施形態では、図３に示すように、制御指令入力手段の１つであるふろ自動スイッチ２１、消灯モード設定手段である表示消灯スイッチ２３等を備えている。ふろ自動スイッチ２１は、図示しない浴槽への湯張り等の指令を行なうためのスイッチであり、ふろ自動スイッチ２１が操作されると、給湯機２は浴槽への設定水位までの湯張り等を行なうようになっている。
【００３４】
ふろ自動スイッチ２１内には風呂自動ＬＥＤ２２が配設されており、ふろ自動スイッチ２１がオン状態であるときにはこれが点灯するようになっている。また、表示消灯スイッチ２３内には表示消灯ＬＥＤ２４が配設されており、表示消灯スイッチ２１がオン状態であるときにはこれが点灯するようになっている。
【００３５】
表示部１０は、蛍光表示管等の複数の表示素子によりドットマトリックス表示を行なうようになっており、制御演算部３０の出力により表示制御回路３１から出力される表示駆動出力で、文字表示や図形表示等を行なうようになっている。表示部１０には、表示用電源回路３２が接続されており、給湯機２からの給電により表示部１０に表示用電力を供給するようになっている。
【００３６】
表示用電源回路３２への給電経路には電源遮断回路３３が配設されており、制御演算部３０からの遮断制御出力により、表示用電源回路３２への給電またはその遮断を行なうようになっている。電源遮断回路３３を表示用電源回路３２への給電経路に配設することで、電源遮断回路３３による給電の遮断が行なわれているときには、表示用電源回路３２の動作エネルギーが不要になるという利点がある。
【００３７】
ここで、制御演算部３０、表示制御回路３１、表示電源回路３２および電源遮断回路３３からなる構成が、本実施形態における表示制御手段である。
【００３８】
次に、上記構成に基づき、本実施形態の遠隔制御装置１の表示動作について説明する。
【００３９】
図２は、表示制御手段の概略表示制御動作を示すフローチャートである。表示制御手段は、給湯機２に電力供給されているときには、まず、表示部１０を通常表示する（ステップＳ１００）。
【００４０】
ここで、表示部１０の通常表示状態（通常モード）について説明する。図３に示すように、表示部１０は、ヒートポンプ装置作動表示部分１１、沸き上げモード表示部分１２、給湯温度表示部分１３、貯湯量表示部分１４、および時刻表示部分１５により構成される。
【００４１】
通常表示状態では、ヒートポンプ装置作動表示部分１１は、ヒートポンプ装置が作動し貯湯タンク内の水を沸き上げているときに、沸き上げ中である旨の表示を行なう。沸き上げモード表示部分１２は、ヒートポンプ装置による沸き上げ量や沸き上げ時刻等の沸き上げ条件設定モードを表示する。給湯温度表示部分１３は、給湯が行なわれる場合の給湯温度を表示する。貯湯量表示部分１４は、貯湯タンク内に貯湯されている湯の量をバー表示する。
【００４２】
ステップＳ１００を実行したら、次に、表示消灯スイッチ２３が操作されオン状態となっているか否か（消灯モードが設定されているか否か）判断する（ステップＳ２００）。表示消灯スイッチ２３がオン状態でない場合には、ステップＳ１００にリターンして通常表示を継続する。表示消灯スイッチ２３がオン状態（消灯モード）である場合には、表示消灯ＬＥＤ２４を点灯し、必要な表示項目があるか否か判断する（ステップＳ３００）。
【００４３】
必要な表示項目がない場合には、制御演算部３０は電源遮断回路３３に遮断制御出力し、表示部１０への給電を遮断する（ステップＳ４００）。これにより、図４に示すように表示部１０は全て消灯状態となり、確実に省エネルギーが可能となる。必要な表示項目がある場合には、制御演算部３０は表示制御回路３１を介して必要な表示項目のみ表示する（ステップＳ５００）。このとき電源遮断回路３３は給電状態となっており、表示部１０には表示用電源回路３２から給電される。
【００４４】
ここで、必要な表示項目の表示について説明する。
【００４５】
給湯機２から通信回路５０を介して、ヒートポンプ装置が作動中である旨の信号が入力しているときには、図５に示すように、表示部１０では、ヒートポンプ装置作動表示部分１１を表示し、他の表示部分を消灯する。このとき、ヒートポンプ装置作動表示部分１１が第１表示部分であり、他の表示部分（図３に示す１２〜１５）が第２表示部分である。
【００４６】
給湯機２から通信回路５０を介して、給湯中である旨の信号が入力しているときには、図６に示すように、表示部１０では、給湯温度表示部分１３を表示し、他の表示部分を消灯する。このとき、給湯温度表示部分１３が第１表示部分であり、他の表示部分（図３に示す１１、１２、１４、１５）が第２表示部分である。
【００４７】
給湯機２から通信回路５０を介して、浴水加熱手段が作動中である旨の信号が入力しているときには、図７に示すように、表示部１０では、浴水保温表示部分１６を表示し、他の表示部分を消灯する。このとき、浴水保温表示部分１６が第１表示部分であり、他の表示部分（本例では通常表示状態の表示部分、図３に示す１１〜１５）が第２表示部分である。
【００４８】
給湯機２から通信回路５０を介して、湯張り手段が作動中である旨の信号が入力しているときには、図８に示すように、表示部１０では表示を行なわず（必要な表示項目なし）、ふろ自動ＬＥＤ２２を点灯して湯張り中である旨の告知をする。したがって、このときには、表示部１０への給電は遮断されている。換言すれば、表示部１０の全ての表示部分が第２表示部分であるので、表示部１０への電力供給は停止されている。
【００４９】
なお、上述の作動状態に関する２つ以上の信号入力があった場合には、作動状態に関連する複数の表示部分を第１表示部分とし、他の表示部分を第２表示部分とする。
【００５０】
ステップＳ４００またはＳ５００を実行したら、操作スイッチ（ふろ自動スイッチ２１等の制御指令入力手段）が操作されオン状態となったか否か判断する（ステップＳ６００）。オン状態となった場合には、ステップＳ１００にリターンして表示部１０の消灯モードを解除し、通常表示状態に復帰する。オン状態でない場合（リモコン装置が操作されていない場合）には、ステップＳ３００にリターンし、消灯モードの制御を継続する。
【００５１】
上述の構成および作動によれば、表示消灯スイッチ２３がオンされ表示部１０が消灯モードに設定されているときに、給湯機２が作動状態となった場合には、表示部１０のうち給湯機２の作動状態に関連する第１表示部分を表示し、それ以外の第２表示部分を消灯する。したがって、第１表示部分で使用者に給湯機２の作動状態を告知しつつ、第２表示部分を消灯することで、表示消灯スイッチ２３を操作し消灯モードを設定した使用者の不快感を緩和することが可能である。
【００５２】
表示部１０の消灯モードが設定されている場合であっても、給湯機２のヒートポンプ装置が作動しているときには、ヒートポンプ装置作動表示部分１１を表示し、使用者にヒートポンプ装置の可動部分（例えば、圧縮機や電動ファン等）が作動していることを知らせることができる。また、給湯機２が給湯を行なっているときには、給湯温度表示部分１３を表示し、使用者に給湯温度を知らせることができる。
【００５３】
また、浴槽内の浴水を加熱保温しているときには、浴水保温表示部分１６を表示し、使用者に浴水保温中であることを知らせることができる。また、浴槽内に湯張りしているときには、ふろ自動ＬＥＤ２２を点灯し、使用者に湯張り中であることを知らせることができる。
【００５４】
さらに、表示部１０の消灯モードが設定されているときに、給湯機２が作動していない場合や、湯張り手段により浴槽内に湯張りしている場合には、電源遮断回路３３により表示部１０への給電を停止している。したがって、待機電力の節約となり確実に省エネルギーすることができる。
【００５５】
また、表示部１０が消灯モードに設定されているときには、表示消灯ＬＥＤ２４が点灯しているので、使用者が消灯モードであることを容易に確認することができる。
【００５６】
（他の実施形態）
上記一実施形態では、表示消灯スイッチ２３がオンされ表示部１０が消灯モードに設定されているときに、給湯機２が作動状態となった場合には、表示部１０のうち給湯機２の作動状態に関連する第１表示部分を表示し、それ以外の第２表示部分を消灯するものであったが、表示部１０のうち給湯機２の作動状態に関連する第１表示部分を表示し、それ以外の第２表示部分を第１表示部分より低輝度で表示するものであってもよい。これによっても、使用者に給湯機２の作動状態を告知しつつ、表示消灯スイッチ２３を操作し消灯モードを設定した使用者の不快感を緩和することが可能である。
【００５７】
また、上記一実施形態では、表示部１０は、蛍光表示管等の表示素子によりドットマトリックス表示を行なうものであったが、これに限定されるものではない。例えば、バックライト機構を備えた液晶表示タイプの表示部であってもよい。
【００５８】
また、上記一実施形態では、給湯機２の加熱手段はヒートポンプ装置であったが、これに限定されるものではない。例えば、電熱装置等の加熱手段であってもよい。また、給湯機２は、湯を貯留するタイプの給湯機でなくてもかまわない。
【図面の簡単な説明】
【図１】本発明の一実施形態における給湯機用遠隔制御装置の概略構成を示すブロック図である。
【図２】表示制御手段の概略表示制御動作を示すフローチャートである。
【図３】表示部１０が通常表示状態（通常モード）である遠隔制御装置の示す正面図である。
【図４】表示部１０が消灯モードであるときに、給湯機２が作動していないときの遠隔制御装置の示す正面図である。
【図５】表示部１０が消灯モードであるときに、給湯機２のヒートポンプ装置が作動しているときの遠隔制御装置の示す正面図である。
【図６】表示部１０が消灯モードであるときに、給湯機２が給湯しているときの遠隔制御装置の示す正面図である。
【図７】表示部１０が消灯モードであるときに、給湯機２の浴水加熱手段が作動しているときの遠隔制御装置の示す正面図である。
【図８】表示部１０が消灯モードであるときに、給湯機２の湯張り手段が作動しているときの遠隔制御装置の示す正面図である。
【符号の説明】
１  遠隔制御装置（リモコン装置）
２  給湯装置
１０  表示部
１１  ヒートポンプ装置作動表示部分（ヒートポンプ装置作動時の第１表示部分）
１２  沸き上げモード表示部分（ヒートポンプ装置作動時の第２表示部分の一部）
１３  給湯温度表示部分（ヒートポンプ装置作動時の第２表示部分の一部）
１４  貯湯量表示部分（ヒートポンプ装置作動時の第２表示部分の一部）
１５  時刻表示部分（ヒートポンプ装置作動時の第２表示部分の一部）
１６  浴水保温表示部分（ヒートポンプ装置作動時の第２表示部分の一部）
２１  ふろ自動スイッチ（制御指令入力手段の一部）
２２  ふろ自動ＬＥＤ（湯張り中である旨の表示）
２３  表示消灯スイッチ（消灯モード設定手段）
２４  表示消灯ＬＥＤ（消灯モードである旨の表示）
３０  制御演算部（表示制御手段の一部）
３１  表示制御回路（表示制御手段の一部）
３２  表示電源回路（表示制御手段の一部）
３３  電源遮断回路（表示制御手段の一部）
【図１】
2004198089.tif 000003
【図２】
2004198089.tif 000004
【図３】
2004198089.tif 000005
【図４】
2004198089.tif 000006
【図５】
2004198089.tif 000007
【図６】
2004198089.tif 000008
【図７】
2004198089.tif 000009
【図８】
2004198089.tif 000010